(57)【要約】  ゴルフバッグ用ゴルフクラブリマインダーシステムは、ゴルフバッグ内のゴルフクラブをモニターするために、静電容量をベースにした近接感知システムを利用する。ゴルフクラブリマインダーシステムはゴルフバッグに組込まれており、ゴルフクラブリマインダーシステムは二つのモードで作動する。第１の通常モードでは、ゴルフバッグ内の標準のクラブ数の存在が検出され、あらゆるクラブの不存在又は追加のクラブの存在も、無音のままライトで指示される。第２の安全作動モードでは、あらゆるクラブ本数の変化が検出された時、大きい音声警告が発せられる。【選択図】図４
2008518744.tif 000002
【特許請求の範囲】
【請求項１】
ゴルフクラブセット収容用の内側チェンバーを持つゴルフバッグと、
ゴルフバッグ内の材料の静電容量を検出し、検出静電容量信号を発生する装置と、
前記検知静電容量信号に基づいて、前記ゴルフバッグ内のゴルフクラブセットが完備しているかどうかを判断する制御装置と、
ゴルフバッグ内のゴルフクラブセットが完備しているかどうかの指示を表示するための前記制御装置に接続された表示装置と、
ゴルフバッグ内のゴルフクラブセットが完備しているかどうかを判断する前記制御手段を設定するための前記制御装置に接続されるユーザインターフフェイスと、
からなるゴルフクラブリマインダーシステム。
【請求項２】
ゴルフバッグ内の材料の静電容量を検知し検知静電容量信号を発生する前記装置は、感知ゴルフバッグ内に間隔を置いて取り付けられた第１及び第２の電極からなり、これら第１及び第２の電極の間にある材料の容量感知を行うことを特徴とする請求項１に記載のゴルフクラブリマインダーシステム。
【請求項３】
前記第１及び第２の電極は、それぞれ送信電極とセンサー電極からなることを特徴とする請求項２に記載のゴルフクラブリマインダーシステム。
【請求項４】
前記第１の電極は、電気信号を発生する信号発生器回路と該電気信号を送信する電子送信回路から成ることを特徴とする請求項２に記載のゴルフクラブリマインダーシステム。
【請求項５】
前記信号発生器回路は、一定の電圧／秒信号を供給するランプ波発生器回路から成ることを特徴とする請求項４に記載のゴルフクラブリマインダーシステム。
【請求項６】
前記ゴルフバッグは上部開口部を有し、前記第１の電極は、前記ゴルフバッグ内の前記上部開口部の内側に設置されることを特徴とする請求項２に記載のゴルフクラブリマインダーシステム。
【請求項７】
前記第２の電極は、該第２の電極からの電流を表す電圧信号を形成する電子センサー回路から成ることを特徴とする請求項２に記載のゴルフクラブリマインダーシステム。
【請求項８】
前記電子センサー回路は、静電容量検出回路及び線形演算増幅器バッファーから成ることを特徴とする請求項７に記載のゴルフクラブリマインダーシステム。
【請求項９】
前記ゴルフバッグは下部を有し、前記第２の電極は前記ゴルフバッグの前記下部に配置されることを特徴とする請求項２に記載のゴルフクラブリマインダーシステム。
【請求項１０】
前記電子センサー回路は、抵抗降下を計測する電流検知器と、前記第２の電極からの電流を表す電圧信号を形成する線形増幅器とから成ることを特徴とする請求項７に記載のゴルフクラブリマインダーシステム。
【請求項１１】
前記第２の電極は、該第２の電極に接続される接地用箔により遮蔽されることを特徴とする請求項２に記載のゴルフクラブリマインダーシステム。
【請求項１２】
前記制御装置は、前記第１の電極の電気信号発生と前記第２の電極の信号検出の全てを制御するため、及び、前記ゴルフバッグ内のゴルフクラブセットの変化を判断するためのマイクロコントローラを有することを特徴とする請求項１に記載のゴルフクラブリマインダーシステム。
【請求項１３】
音声警報機をさらに含み、前記ゴルフクラブリマインダーシステムは、第１の非安全作動モード及び第２の安全作動モードを有し、前記第１の非安全作動モードにおける前記ゴルフクラブリマインダーシステムは、ゴルフバッグ内の標準のゴルフクラブ数の存在を検知し、少なくとも一個のライト指示器により、クラブの収容又は取り出しを表示装置上に指示し、前記第２の安全作動モードにおける前記ゴルフクラブリマインダーシステムは、ゴルフバッグに収容される標準のゴルフクラブ数の存在を検知し、少なくとも一個のライト指示器により、クラブの挿入又は取り出しを表示装置上に指示し、さらに加えて前記音声警報器を起動させることを特徴とする請求項１に記載のゴルフクラブリマインダーシステム。
【請求項１４】
ゴルフクラブ収容用の内部チェンバーを持つゴルフバッグと、
ゴルフバッグ内に間隔を置いて取り付けられ、間にある材料の容量感知を行って検出静電容量信号を発生させる第１及び第２の金属電極と、
前記検知静電容量信号に基づいて、ゴルフバッグ内のゴルフクラブセットが完備しているかどうかを判断するマイクロコントローラと、
ゴルフバッグ内のゴルフクラブセットが完備しているかどうかの指示を表示するためのマイクロコントローラに接続された表示装置と、
ゴルフバッグ内のゴルフクラブセットが完備しているかどうかを判断するマイクロコントローラを設定するために前記マイクロコントローラに接続されたユーザインターフフェイスと、
から成るゴルフクラブリマインダーシステム。
【請求項１５】
前記第１及び第２の電極は、それぞれ送信電極とセンサー電極から成ることを特徴とする請求項１４に記載のゴルフクラブリマインダーシステム。
【請求項１６】
前記第１の電極は、電気信号を発生する信号発生器回路及び電気信号を送信する電子送信回路から成ることを特徴とする請求項１４に記載のゴルフクラブリマインダーシステム。
【請求項１７】
前記信号発生器回路は一定の電圧／秒信号を供給するランプ波発生器回路から成ることを特徴とする請求項１６に記載のゴルフクラブリマインダーシステム。
【請求項１８】
ゴルフバッグは上部開口部を有し、前記一番目の電極はゴルフバッグの上部開口部の内部に設置されることを特徴とする請求項１４に記載のゴルフクラブリマインダーシステム。
【請求項１９】
前記第２の金属電極は、該第２の電極からの電流を表す電圧信号を形成する電子センサー回路から成ることを特徴とする請求項１４に記載のゴルフクラブリマインダーシステム。
【請求項２０】
前記電子センサー回路は、静電容量検出回路及び線形演算増幅器バッファーから成ることを特徴とする請求項１９に記載のゴルフクラブリマインダーシステム。
【請求項２１】
前記ゴルフバッグは下部を含み、前記第２の電極は前記ゴルフバッグの前記下部に配置されることを特徴とする請求項１４に記載のゴルフクラブリマインダーシステム。
【請求項２２】
前記電子センサー回路は、抵抗降下を計測する電流検出器と、前記第２の電極からの電流を表す電圧信号を形成する線形増幅器から成ることを特徴とする請求項１９に記載のゴルフクラブリマインダーシステム。
【請求項２３】
前記第２の電極は、該第２の電極に接続された接地用箔により遮蔽されることを特徴とする請求項１４に記載のゴルフクラブリマインダーシステム。
【請求項２４】
前記制御装置は、前記第１の電極の信号発生と前記第２の電極の信号検出の全てを制御するため、及び、前記ゴルフバッグ内のゴルフクラブセットの変化を判断するためのマイクロコントローラを有することを特徴とする請求項１４に記載のゴルフクラブリマインダーシステム。
【請求項２５】
音声警報器をさらに含み、前記ゴルフクラブリマインダーシステムは、第１の非安全作動モードと第２の安全作動モードとを有し、前記第１の非安全作動モードにおける前記ゴルフクラブリマインダーシステムは、ゴルフバッグで運搬される標準のゴルフクラブ数の存在を検出し、かつ、少なくとも一個のライト指示器により、クラブの収容又は取り出しを表示装置に指示し、前記第２の安全作動モードにおける前記ゴルフクラブリマインダーシステムは、ゴルフバッグで運搬される標準のゴルフクラブ数の存在を検出して、少なくとも一個のライト指示器によりクラブの収容又は取り出しを表示装置に指示し、さらに加えて前記音声警報器を起動させることを特徴とする請求項１４に記載のゴルフクラブリマインダーシステム。
【請求項２６】
ゴルフバッグ内のゴルフクラブセットが完備しているかどうかのリマインダーを行うための方法であって、
ゴルフクラブセットを収容するためにゴルフバッグを準備することと、
ゴルフバッグ内の材料の静電容量を検知し、検知静電容量信号を発生することと、
前記検知静電容量信号に基づいて、ゴルフバッグ内のゴルフクラブセットが完備しているかどうかを判断することと、
ゴルフバッグ内のゴルフクラブセットが完備しているかどうかの指示を表示することと、
からなることを特徴とする方法。
【請求項２７】
ゴルフバッグ内の材料の静電容量を検知し、検知静電容量信号を発生する前記段階は、第１の電極から一定の電圧／秒信号を送信し、前記第１の電極から間隔を置いて配置されている第２の電極からの電流を計測し、前記第２の電極からの電流を表す電圧信号を発生させることを含むことを特徴とする請求項２６に記載の方法。
【発明の詳細な説明】
【技術分野】
【０００１】
本発明は、一般的にセキュリティシステム、具体的にはゴルフバッグ及びゴルフクラブセキュリティシステムに関する。
【背景技術】
【０００２】
ゴルフクラブはさらに高価になり、ラウンド中における、パター、ウェッジ、又はドライバーなどのクラブの紛失損害はさらに深刻になるにつれて、ゴルフクラブの紛失又は盗難は一段と問題になってきている。例えば、ゴルファーは、カート通路上のカートからショットのためのボールがある所まで歩くために、ゴルフバッグからゴルフクラブを選択し、不使用なクラブを下に置いて、ショットをした後に不使用のクラブの回収を忘れることがある。ゴルフクラブの紛失が忘れっぽさのためであっても、或いは明白な窃盗によるものであっても、ゴルファーのゴルフバッグからゴルフクラブの無断の移動に対して、プレイヤーに警告を出す警報システムを提供するか、又はショット中のような許可を得た一個又はそれ以上のクラブを移動した後、プレイヤーのバッグからゴルフクラブが不必要に長く不在になっていることに関して、プレイヤーに警告を出すのが望ましい。
【０００３】
インダクタンス検出によるゴルフバッグセキュリティシステムが知られており、これは、ゴルフバッグを窃盗から防護するために、プログラム可能な警報器を現存のゴルフバッグに取り付けるか又は組み込むものである。インダクタンス検出によるシステムでは、強磁性金属を組み込んだタグがゴルフクラブに取り付けられて、タグに高い透磁率を与える。このようなゴルフバッグセキュリティシステムは、このシステムが装着された場合には、ゴルフバッグからのゴルフクラブの無断の移動を検出できるものであるが、ゴルフバッグ内のどのような所望のゴルフクラブの組み合わせに関しても、ゴルフバッグユーザに対して、ゴルフクラブのうっかり紛失及び窃盗の両方についての警報を出すことができるゴルフバッグのためのゴルフクラブリマインダーシステムを提供することが望ましい。本発明は、これら及び他のニーズを満足させるものである。
【発明の開示】
【発明が解決しようとする課題】
【０００４】
簡潔にかつ一般的な言い方で説明すると、本発明は、ゴルフバッグ内のゴルフクラブに対する静電容量基準の近接感知に基づく、ゴルフバッグ用のゴルフクラブリマインダーシステムを構築して、ゴルフバッグ内にあるゴルフクラブの総数を自動的に判断し、かつ、ゴルフバッグ内のどのような所望のゴルフクラブの特定の組合わせに対しても、該近接感知システムを自動的に較正するようにするものである。所定のしきい値が、警告通知までに許容される負荷変化を定め、また検出器コンポーネントは、ユーザの通常のゴルフ活動を阻害しないように、かつ、ゴルフクラブリマインダーシステムの作動に際してユーザの介入が不要になるように、ゴルフバッグ内に配置される。このゴルフバッグ用ゴルフバッグリマインダーシステムは、コンポーネント及び配線がゴルフバッグの接合部、ポケット、下部のキャップ及び上部開口部に組み込まれるバッテリー式デバイスである。このゴルフクラブリマインダーシステムは、二つのモードで作動するように意図されている。第１の通常モードでは、ゴルフバッグ内内に通常の数のクラブが存在することが検出され、クラブの不存在又は追加クラブの存在のいずれも、無音のままライトで表示される。第２の安全作動モードでは、あらゆるクラブの数の変化も検出して音声による警告を発生する。
【０００５】
本発明は従って、ゴルフクラブセットの収容に適合するゴルフバッグ用ゴルフバッグリマインダーシステムを提供する。このゴルフクラブリマインダーシステムは、ゴルフクラブセットを収容するための内部チェンバーを持つゴルフバッグ内に組み込まれ、ゴルフバッグ内の材料の静電容量を検知し、検知静電容量信号を発生させる装置を含む。本システムは、また、ゴルフバッグ内に通常のゴルフクラブセットが存在するかどうかを、検知静電容量信号により判断する制御装置を含む。表示装置は、標準のゴルフクラブセットがゴルフバッグ内に存在するかどうかの指示を表示するために制御装置に接続され、またユーザインターフェイスは、標準のゴルフクラブセットがゴルフバッグ内に存在するかどうかを判断するための制御手段の設定用制御装置に接続される。
【０００６】
現在のところ好ましい態様においては、ゴルフバッグ内の材料の静電容量を検知し、検知静電容量信号を発生する手段は、ゴルフバッグ内に間隔を置いて取り付けられて、間にある材料の容量感知を行う第１及び第２電極を含む。第１及び第２の電極は、それぞれ送信電極及びセンサー電極として機能し、第１の電極は電気信号を発生するための信号発生器回路及び電気信号を送信するための電子送信回路を有する。現在のところ好ましい態様においては、信号発生器回路は、一定の電圧／秒信号を形成するためのランプ波発生器回路を含む。第１の電極は、一般的に、ゴルフバッグの上部開口部の内部に配置される。第２の電極は、該第２の電極極からの電流を表す電圧信号を形成する電子センサー回路を含み、また現在の好ましい態様においては、電子センサー回路は、静電容量検出回路及び線形演算増幅器バッファーを含む。現在のところ好ましい他の態様においては、第２の電極は、該第２の電極に接続された接地用箔により遮蔽される。第２の電極は、一般的に、ゴルフバッグの下部又はその近くに配置される。制御装置は、一般的に、電気信号の発生と信号検出を制御するため、及びゴルフバッグ内のゴルフクラブセットの変化を判断するためのマイクロコントローラを含む。
【０００７】
現在のところ好ましい他の態様においては、ゴルフクラブリマインダーシステムは音声警報器を含み、またゴルフクラブリマインダーシステムは、第１の非安全作動モードと第２の安全作動モードとを有する。両作動モードにおいて、ゴルフクラブリマインダーシステムは、ゴルフバッグで運搬される通常の数のゴルフクラブの存在を検出し、少なくとも一個の光指示器で、クラブの挿入又は取り出しを表示装置上に指示するが、第２の安全作動モードでは、ゴルフバッグで運搬される通常の数のゴルフクラブの存在を検出したとき、ゴルフクラブリマインダーシステムは、表示装置上の少なくとも一個の光指示器により、クラブの挿入収容又は取り出しを表示するだけでなく、さらに加えて、音声警報器を作動させる。
【０００８】
本発明は、また通常のセットのゴルフクラブがゴルフバッグ内に存在するかどうかを判断する方法を提供する。この方法は、ゴルフクラブセットを収容するためのゴルフバッグを準備し、ゴルフバッグ内の材料の静電容量を検知して検知静電容量信号を発生し、検知静電容量信号に基づいて、ゴルフバッグ内にゴルフクラブセットが完備しているかどうかを判断し、通常のセットのゴルフクラブがゴルフバッグ内に完備しているかどうかの指示を表示することを含む。現在のところ好ましい態様においては、ゴルフバッグ内の材料の静電容量を検知して検知静電容量信号を発生する段階は、一定の電圧／秒信号を発生し、第１の電極から一定の電圧／秒信号を送信し、第１の電極から間隔を置いて配置された第２の電極からの電流を計測し、該第２の電極からの電流を表す電圧信号を発生することを含む。
【０００９】
本発明の他の特徴及び利点は、本発明の作動を例として示す添付図と併せて、下記の好ましい実施形態の詳細な説明から、一層明白になるであろう。
【発明を実施するための最良の形態】
【００１０】
説明の目的のために準備された図面を、例示のために参照すると、本発明は、ゴルフバッグのためのゴルフクラブリマインダーシステムを提供する。図面１を参照すると、本発明のゴルフクラブリマインダーシステムは、接合部１４、ポケット、下部キャップ１８及び上部開口部すなわち口部２０を備えた本体１２を持つゴルフバッグ１０に組み込まれているバッテリー駆動のコンポーネント及び配線を含む。
【００１１】
“送信”電極である第１の金属電極２２は、典型的には、ゴルフバッグの上部開口部の内部に配置されている。第１の電極は、電子送信回路２４及びバッグ内の上部電極に定電圧／秒信号を送るために、例えばＨｏｗｌａｎｄ式定電流源を使用するＤｅｂｏｏ積分器のような、典型的にはランプ波発生器回路である信号発生器回路２６に接続される。
【００１２】
センサー電極である第２の金属電極２８は、ゴルフバッグの下部又はその近くに、典型的には下部電極ポーチ３０に配置されている。第２の電極は、電子センサー回路３２に接続され、現在のところ好ましいものとして、下部電極に接続された接地用箔３４によって遮蔽されている。電子センサー回路は、静電容量検出回路３６及び線形演算増幅器バッファー３８を含む。静電容量検出回路は、下部電極からの電流を表す計測電圧信号４０を形成するために、抵抗降下を使用する電流検出器として形成されている。
【００１３】
第１の電極と第２の金属電極は、ゴルフクラブ（示されていない）がゴルフバッグに入ったまま、該ゴルフバッグが２つの電極間の誘電材料として働く状態で、第１及び第２の金属電極間にある材料の容量検出を行うように、典型的には比較的遠くに離れて配置される。この電極及びゴルフバッグ材料は、ゴルフバッグ内にクラブがなく、それ単独で使用されているときには、小さい計測可能なエアギャップ静電容量を有する。電極とゴルフバッグ材料間の物理的位置と静電容量の関係は変化しない。バッグ内のゴルフクラブは、電極間に可変誘電材料をもたらし、計測可能なレベルで静電容量を増減させる。これは、計測対象の静電容量を直接に制御する可変状態である。ゴルフバッグ内のゴルフクラブの容量感知を行うための他の形態は、ゴルフバッグのもっと中央寄りに追加の電極を配置するか、又は別の配置として、第１の電極と第２の電極を、例えば、ゴルフバッグ内のどこか他の中間の対向する位置に配置することができる。
【００１４】
電子センサー回路からの電圧信号は、例えばＰＩＣ１８Ｆ２５２マイクロコントローラなどのマイクロコントローラ４２に設けられたアナログ・デジタル変換回路（ＡＤＣ）により計測される。マイクロコントローラデバイスは、電気信号の発生、信号の検出及び存在するクラブ数の変化の分析の全てを制御するために使用される。マイクロコントローラは、また、ユーザ操作可能なスィッチなどによるユーザ入力のタイミンを計算し、光及びブザーなどの状態出力を制御し、自動停止などのバッテリー電源作動時間をモニターする。マイクロコントローラは、例えばゴルフバッグの内側のポーチ４６に設置することができる。マイクロコントローラは、ゴルフクラブリマインダーシステムに電源を供給し、マイクロコントローラと共にポーチ内に配置することができる、例えばＡＡバッテリーなどの一個又はそれ以上のバッテリー４８に接続される。
【００１５】
マイクロコントローラは、また、典型一般的には、ボタンパネル式ユーザインターフェイス５２を含むことができる、ゴルフバッグの上部開口部近くに配置されている表示装置５０に接続される。ユーザインターフフェイスは、一般的にゴルフクラブリマインダーシステムの第１の通常作業モードがＯＮかＯＦＦか、また第２の安全装置モードが作動状態にあるかどうかの状態を指示するＬＥＤ５４を含む。表示装置は防湿性であることが好ましく、また屋外の日光のもとでの判読が十分にできる明るさがなければならない。表示装置は、一般的に“バッグ満杯／クラブ紛失”の状態指示をするためのＬＥＤを含み、また、ゴルフクラブリマインダーシステムのセンサーのリセットをするためのプッシュボタンを含むことが好ましい。表示装置はまた、湿気の存在又は気温が高すぎるか、又は低すぎるかなどの環境の問題、ハードウェアの故障及びバッテリーレベルを表示するために、一個又はそれ以上のＬＥＤを含むことができる。表示装置は、クラブのいたずら、取り出し、挿入、交換又はクラブの位置の移動などの安全警告を表示するために、一個また又はそれ以上のＬＥＤを含むことが好ましい。ゴルフクラブの動き及びいたずらは、ゴルフクラブリマインダーシステムに加速度計を組み込むことで検出することができる。マイクロコントローラは、また、警報器又はブザーなどの音声安全警告器５６を作動させるように接続される。ゴルフクラブリマインダーシステムの各種コンポーネント、特に下部の電極、上部の電極、表示装置、音声警告器及びバッテリーとマイクロコントローラを接続する配線又はケーブル線は、ユーザから隠されていることが好ましい。
【００１６】
ゴルフバッグは、ゴルフクラブリマインダーシステムのコンポーネントを防護又は覆い隠すためのフラップを持ち、ゴルフクラブリマインダーシステムのコンポーネントへのアクセスを可能にするコンパートメントを含むことができる。このようなフラップは、フック、ループファスナー、スナップ、ボタン、ジッパーなど所望の各種ファスナーに適合するものとすることができる。ゴルフクラブリマインダーシステムの電極及び電子装置は、汚れ、ほこり及び汚染材料、衝撃と摩耗、極値の温度及び日光から防護されるべきであり、また典型一般的にはコンパートメントに埋め込むことにより、かつ、ゴルフバッグのコンパートメントのフラップにより防護及び隔離されている。ゴルフクラブリマインダーシステムのコンポーネントを収容するコンパーメントは、代わりに、コンポーネントを収容するためのプラスチックシェルを含むことができる。ゴルフクラブリマインダーシステムは、また、ゴルフバッグ又はゴルフクラブがいたずらされるのを検出したとき、信号を送る音声警告器も含むことができる。このような音声警告システムは、音声警告器がどのようなレベルの屋外の雑音との競合及びユーザまでの距離が影響を与えるとしても、またどのようなレベルの歌、サイレン又は警報器突発などの調整可能な継続時間、音量、周波数範囲、トーンを有するとしても、これらを補うに十分に大きくあるべきであり、大電流が必要である。
【００１７】
ゴルフクラブリマインダーシステムは、一般的に一番目の非安全作動モード及び第２の安全作動モードを有している。ゴルフクラブリマインダーシステムの一番目の非安全作動モードは、ゴルフバッグで運ばれる標準のクラブ数（一般的には１４）の存在を検出し、またクラブの収容又は取り出しを無音で一個又はそれ以上のライト指示器で指示する。第２の安全作動モードでは、ゴルフクラブリマインダーシステムは、これらの同じ機能を実行し、またさらにクラブ数のどのような変化も検出すれば大きい音による安全警告を出す。両作動モードにおいて、ゴルフクラブリマインダーシステムは、自動的にゴルフバッグ内のクラブ総数に応じて、バッグ内の二個の電極間にある材料の静電容量を求める。このようにして、本発明は、ゴルフクラブリマインダーシステムがどのような特定のクラブの組合せに対しても、ゴルフバッグ内で保持される校正の方法を提供する。予め計算されたしきい値は、警告の指示が出されるまでの許容できる負荷の変動範囲を限定する。
【００１８】
本発明の製品における静電容量を計測する方法は、静電容量、電荷、電圧、電流及び時間の間の関係に基づく。蓄電電荷（Ｓｃ）、静電容量（Ｃ）及び電圧（Ｖ）の関係は下記の式に示されるように表すことができる。
Ｓｃ＝Ｃ×Ｖ                    式１
蓄電電荷（Ｓｃ）、時間（Ｔ）及び電流（Ｉ）の間の関係は次の式で表すことができる。
Ｉ＝Ｓｃ／時間                  式２
式２に電荷（Ｓｃ）を代入すると、次の式が成立する。
Ｉ＝（Ｃ×Ｖ）／Ｔ              式３
式３を整理すると、次の式のとおり、回路実装のための方策の論拠を与える異なる形式での関係が示される。
Ｉ＝Ｃ×（Ｖ／Ｔ）              式４
【００１９】
本発明は従って、電極の一つに対して既知の時間にわたり変動電圧信号を発生させ、他の電極に対して流入し又は流出する電流を計測する方法を提供する。一定の時間当たりの電圧変化（Ｖ／Ｔ）を有する一方の電極に提供される特定信号が、他方の電極に、電極−クラブ回路の静電容量のみが変数となる一定の電流を生じる。
【００２０】
ゴルフバッグ内のゴルフクラブの誘電値は、電気的接触なしに検出し計測することができる。これを実行する通常の方法は、キャパシターデバイスを構築するのに誘電材料が使用される時に、該誘電材料が静電容量値を増大させる、という効果に全て関係する。ＣFを最終キャパシタンスとした場合、誘電材料と静電容量効果との間の関係を示す基本公式は、次のとおりである。
ＣF＝ＧAC×ＤV            式５
【００２１】
上記の式４の静電容量を代入することにより、ＣACをエアギャップ静電容量及びＤVを誘電値とした場合、関係は次とおりになる。
Ｉ＝（ＧAC×ＤV）×（Ｖ／Ｔ）  式６
【００２２】
エアギャップ静電容量は一定に維持され、（Ｖ／Ｔ）は一定に維持されているので、電極電流を制御する唯一の変数は、バッグ内のクラブ材料の誘電値である。本デバイスの操作は、全ての材料が固有で唯一の誘電定数を持っているという原理に基づく。存在する材料の誘電定数の固有の値を知ることは必ずしも必要ではない。唯一必要なことは、全体の誘電値が計測電気回路の検出範囲にあるように、十分な材料が存在しなくてはならないことである。テストは、鋼又はカーボンファイバーのどんな組合わせでも、これがゴルフバッグ内での検出対象として使用されるときは、前述のことが標準的な条件であることを示している。
【００２３】
本発明の特定の形式が例示され、説明されているが、上記事項から発明の精神及び本発明の範囲から逸脱せずに、各種の改修をすることができることは明白である。従って、添付の特許請求の範囲によるものを除き、本発明は制限を受けるものではない。
【図面の簡単な説明】
【００２４】
【図１】本発明によるゴルフクラブリマインダーシステムを組み込んだゴルフバッグを示す。
【図２】本発明のゴルフクラブリマインダーシステムの第１の電極及び電子送信回路の概略図である。
【図３】本発明のゴルフクラブリマインダーシステムの第２の電極及び電子センサー回路の概略図である。
【図４】本発明のゴルフクラブリマインダーシステムのマイクロコントローラの概略図である。
【図５】本発明のゴルフクラブリマインダーシステムの警報器、マイクロコントローラ及び表示装置用の電源の概略図である。
【図６】本発明のゴルフクラブリマインダーシステムの警報器回路、表示装置ＬＥＤ警告及びボタンパネルユーザインターフェイスの概略図である。
【符号の説明】
【００２５】
１０  ゴルフバッグ
１２  本体
１４  接合部
１８  下部キャップ
２０  上部開口、つまり口
２２  第１の金属電極
２４  電子送信回路
２６  信号発生器回路
３０  下部電極ポーチ
４２  マイクロコントローラ
４６  ポーチ
５６  安全音声警告
【図１】
2008518744.tif 000003
【図２】
2008518744.tif 000004
【図３】
2008518744.tif 000005
【図４】
2008518744.tif 000006
【図５】
2008518744.tif 000007
【図６】
2008518744.tif 000008
【国際調査報告】
2008518744.tif 000009
2008518744.tif 000010